(57)【特許請求の範囲】
【請求項１】
媒体が搬送される搬送路に対向して設けられ当該搬送路上を搬送されている前記媒体からの光を透過する透過部材と、
前記透過部材によって透過され受光部材で受光した光によって前記媒体の画像又は前記媒体を検知する検知手段と、
前記透過部材に対し前記搬送路を挟んで反対側に設けられると共に、当該透過部材に対向する複数の対向面を備える対向部材と、
を有し、
前記複数の対向面は、前記媒体の画像検知又は前記媒体の検知を行う際に使用する検出面と、前記媒体の画像検知又は前記媒体の検知を行わない際に前記媒体を案内し且つ他の前記対向面よりも前記媒体の搬送方向の幅が長い退避面とを有し、
前記検出面の幅は、前記搬送方向において、前記透過部材の検知面の幅よりも短く且つ他の前記対向面の幅よりも短い検知装置。
【請求項２】
前記透過部材に対して前記媒体の搬送方向における上流側及び下流側の少なくとも一方には、前記透過部材よりも前記媒体側に突出された突出部が設けられている請求項１に記載の検知装置。
【請求項３】
前記媒体の搬送方向と交差する方向から見て、前記突出部の先端が、前記対向面の延長線を越えて前記対向部材側へ突出している請求項２に記載の検知装置。
【請求項４】
前記媒体の搬送方向と交差する方向から見て、前記突出部は、前記対向面で前記透過部材に最も近い点を通り且つ前記受光部材によって受光される光の光軸と直交する線を越えて前記対向部材側へ突出している請求項２に記載の検知装置。
【請求項５】
前記媒体の搬送方向と交差する方向から見て、前記突出部は、前記受光部材によって受光される光の光軸と前記透過部材との交点を通り該光軸と直交する線に対して、前記対向面で前記透過部材に最も近い点を通り且つ前記光軸と直交する線を越えて前記対向部材側へ突出している請求項２に記載の検知装置。
【請求項６】
前記検知手段は、筐体を有し、該筐体に前記突出部が一体に形成されている請求項２から請求項５のいずれか１項に記載の検知装置。
【請求項７】
前記対向部材は、前記対向面よりも上流側に連続して配置され下流に向けて前記搬送方向で徐々に前記透過部材に近づく上流面を有する請求項１から請求項６のいずれか１項に記載の検知装置。
【請求項８】
前記媒体の搬送方向と交差する方向から見て、前記上流面の延長線と前記透過部材との交点が前記受光部材によって受光される光の光軸よりも上流側にある請求項７に記載の検知装置。
【請求項９】
前記対向面と前記上流面との間は湾曲又は面取りしている請求項７又は請求項８に記載の検知装置。
【請求項１０】
前記対向面の前記搬送方向における上流側の境界が、前記受光部材によって受光される光の光軸よりも前記搬送方向において上流側にある請求項１から請求項９のいずれか１項に記載の検知装置。
【請求項１１】
前記対向部材は、前記対向面よりも下流側に連続して配置され下流に向けて前記搬送方向で徐々に前記透過部材から離れる下流面を有する請求項１から請求項１０のいずれか１項に記載の検知装置。
【請求項１２】
前記対向面と前記下流面との間は湾曲又は面取りしている請求項１１に記載の検知装置。
【請求項１３】
前記対向面は、前記搬送方向で前記受光部材によって受光される光の光軸を基準とした上流側の幅が下流側の幅よりも広い請求項１から請求項１２のいずれか１項に記載の検知装置。
【請求項１４】
前記搬送方向における前記透過部材よりも下流側には、前記媒体を下流側へ案内する案内部材が設けられ、該案内部材の下流側の端部が、前記媒体の搬送路から離れる方向に湾曲している請求項１から請求項１３のいずれか１項に記載の検知装置。
【請求項１５】
媒体が搬送される搬送路に対向して設けられ当該搬送路上を搬送されている前記媒体からの光を透過する透過部材と、
前記透過部材によって透過され受光部材で受光した光によって前記媒体の画像又は前記媒体を検知する検知手段と、
前記透過部材に対し前記搬送路を挟んで反対側に設けられると共に、当該透過部材に対向する複数の対向面を備える対向部材と、
前記透過部材に対して前記媒体の搬送方向における上流側及び下流側に形成され前記透過部材よりも前記媒体側に突出された突出部と、
を有し、
前記複数の対向面は、前記媒体の画像検知又は前記媒体の検知を行う際に使用する検出面と、前記媒体の画像検知又は前記媒体の検知を行わない際に前記媒体を案内し且つ他の前記対向面よりも前記搬送方向の幅が長い退避面とを有し、
前記検出面の幅は、前記搬送方向において、前記上流側に形成された前記突出部と前記下流側に形成された前記突出部との幅よりも短い検知装置。
【請求項１６】
媒体が搬送される搬送路に対向して設けられ当該搬送路上を搬送されている前記媒体からの光を透過する透過部材と、
前記透過部材によって透過され受光部材で受光した光によって前記媒体の画像又は前記媒体を検知する検知手段と、
前記透過部材に対し前記搬送路を挟んで反対側に設けられると共に、当該透過部材に対向する複数の対向面を備える対向部材と、
を有し、
前記複数の対向面は、前記媒体の画像検知又は前記媒体の検知を行う際に使用する検出面と、前記媒体の画像検知又は前記媒体の検知を行わない際に前記媒体を案内し且つ他の前記対向面よりも前記媒体の搬送方向の幅が長い退避面とを有し、
前記検出面の幅は、前記搬送方向において、前記透過部材を含み前記媒体の搬送方向の上流側及び下流側に連続する検知面の幅よりも短い検知装置。
【請求項１７】
前記検知面は，下流に向けて前記搬送方向で徐々に前記対向部材から遠ざかるように形成される請求項１６に記載の検知装置。
【請求項１８】
媒体に画像を形成する画像形成部と、
前記画像形成部で画像が形成された前記媒体を搬送する搬送部と、
前記搬送部で搬送される前記媒体の画像又は前記媒体を検知する請求項１から請求項１７のいずれか１項に記載の検知装置と、
を有する画像形成装置。
【発明の詳細な説明】
【技術分野】
【０００１】
本発明は、検知装置及び画像形成装置に関する。
【背景技術】
【０００２】
特許文献１の画像形成装置は、用紙搬送経路上の画像形成部よりも下流側に画像読取部が配置されており、画像読取部は、画像形成部で画像形成された用紙上の画像を読み取るようになっている。また、この画像読取部は、画像形成における各部のキャリブレーション用として、用紙が無い状態で読み取られる白基準面、黒基準面、及び色基準面の複数の基準面が設けられた多面体の基準部材を有している。
【先行技術文献】
【特許文献】
【０００３】
【特許文献１】特開２０１０−１１４４９８号
【発明の概要】
【発明が解決しようとする課題】
【０００４】
本発明は、透過部材に対する媒体の接触を減らすことができる検知装置及び画像形成装置を得ることを目的とする。
【課題を解決するための手段】
【０００５】
本発明の請求項１に係る検知装置は、媒体が搬送される搬送路に対向して設けられ当該搬送路上を搬送されている前記媒体からの光を透過する透過部材と、前記透過部材によって透過され受光部材で受光した光によって前記媒体の画像又は前記媒体を検知する検知手段と、前記透過部材に対し前記搬送路を挟んで反対側に設けられると共に、当該透過部材に対向する複数の対向面を備える対向部材と、を有し、前記複数の対向面は、前記媒体の画像検知又は前記媒体の検知を行う際に使用する検出面と、前記媒体の画像検知又は前記媒体の検知を行わない際に前記媒体を案内し且つ他の前記対向面よりも前記媒体の搬送方向の幅が長い退避面とを有し、前記検出面の幅は、前記搬送方向において、前記透過部材の検知面の幅よりも短く且つ他の前記対向面の幅よりも短い。
【０００６】
本発明の請求項２に係る検知装置は、前記透過部材に対して前記媒体の搬送方向における上流側及び下流側の少なくとも一方には、前記透過部材よりも前記媒体側に突出された突出部が設けられている。
【０００７】
本発明の請求項３に係る検知装置は、前記媒体の搬送方向と交差する方向から見て、前記突出部の先端が、前記対向面の延長線を越えて前記対向部材側へ突出している。
【０００８】
本発明の請求項４に係る検知装置は、前記媒体の搬送方向と交差する方向から見て、前記突出部は、前記対向面で前記透過部材に最も近い点を通り且つ前記受光部材によって受光される光の光軸と直交する線を越えて前記対向部材側へ突出している。
【０００９】
本発明の請求項５に係る検知装置は、前記媒体の搬送方向と交差する方向から見て、前記突出部は、前記受光部材によって受光される光の光軸と前記透過部材との交点を通り該光軸と直交する線に対して、前記対向面で前記透過部材に最も近い点を通り且つ前記光軸と直交する線を越えて前記対向部材側へ突出している。
【００１０】
本発明の請求項６に係る検知装置の前記検知手段は、筐体を有し、該筐体に前記突出部が一体に形成されている。
【００１１】
本発明の請求項７に係る検知装置の前記対向部材は、前記対向面よりも上流側に連続して配置され下流に向けて前記搬送方向で徐々に前記透過部材に近づく上流面を有する。
【００１２】
本発明の請求項８に係る検知装置は、前記媒体の搬送方向と交差する方向から見て、前記上流面の延長線と前記透過部材との交点が前記受光部材によって受光される光の光軸よりも上流側にある。
【００１３】
本発明の請求項９に係る検知装置の前記対向面と前記上流面との間は湾曲又は面取りしている。
【００１４】
本発明の請求項１０に係る検知装置は、前記対向面の前記搬送方向における上流側の境界が、前記受光部材によって受光される光の光軸よりも前記搬送方向において上流側にある。
【００１５】
本発明の請求項１１に係る検知装置の前記対向部材は、前記対向面よりも下流側に連続して配置され下流に向けて前記搬送方向で徐々に前記透過部材から離れる下流面を有する。
【００１６】
本発明の請求項１２に係る検知装置の前記対向面と前記下流面との間は湾曲又は面取りしている。
【００１７】
本発明の請求項１３に係る検知装置の前記対向面は、前記搬送方向で前記受光部材によって受光される光の光軸を基準とした上流側の幅が下流側の幅よりも広い。
【００１８】
本発明の請求項１４に係る検知装置の前記搬送方向における前記透過部材よりも下流側には、前記媒体を下流側へ案内する案内部材が設けられ、該案内部材の下流側の端部が、前記媒体の搬送路から離れる方向に湾曲している。
【００１９】
本発明の請求項１５に係る検知装置は、媒体が搬送される搬送路に対向して設けられ当該搬送路上を搬送されている前記媒体からの光を透過する透過部材と、前記透過部材によって透過され受光部材で受光した光によって前記媒体の画像又は前記媒体を検知する検知手段と、前記透過部材に対し前記搬送路を挟んで反対側に設けられると共に、当該透過部材に対向する複数の対向面を備える対向部材と、前記透過部材に対して前記媒体の搬送方向における上流側及び下流側に形成され前記透過部材よりも前記媒体側に突出された突出部と、を有し、前記複数の対向面は、前記媒体の画像検知又は前記媒体の検知を行う際に使用する検出面と、前記媒体の画像検知又は前記媒体の検知を行わない際に前記媒体を案内し且つ他の前記対向面よりも前記搬送方向の幅が長い退避面とを有し、前記検出面の幅は、前記搬送方向において、前記上流側に形成された前記突出部と前記下流側に形成された前記突出部との幅よりも短い。
【００２０】
本発明の請求項１６に係る検知装置は、媒体が搬送される搬送路に対向して設けられ当該搬送路上を搬送されている前記媒体からの光を透過する透過部材と、前記透過部材によって透過され受光部材で受光した光によって前記媒体の画像又は前記媒体を検知する検知手段と、前記透過部材に対し前記搬送路を挟んで反対側に設けられると共に、当該透過部材に対向する複数の対向面を備える対向部材と、を有し、前記複数の対向面は、前記媒体の画像検知又は前記媒体の検知を行う際に使用する検出面と、前記媒体の画像検知又は前記媒体の検知を行わない際に前記媒体を案内し且つ他の前記対向面よりも前記媒体の搬送方向の幅が長い退避面とを有し、前記検出面の幅は、前記搬送方向において、前記透過部材を含み前記媒体の搬送方向の上流側及び下流側に連続する検知面の幅よりも短い。
【００２１】
本発明の請求項１７に係る検知装置の前記検知面は、下流に向けて前記搬送方向で徐々に前記対向部材から遠ざかるように形成される。
【００２２】
本発明の請求項１８に係る画像形成装置は、媒体に画像を形成する画像形成部と、前記画像形成部で画像が形成された前記媒体を搬送する搬送部と、前記搬送部で搬送される前記媒体の画像又は前記媒体を検知する請求項１から請求項１７のいずれか１項に記載の検知装置と、を有する。
【発明の効果】
【００２３】
請求項１の発明は、対向面の幅が透過部材の幅よりも長い構成に比べて、透過部材に対する媒体の接触を減らすことができる。
【００２４】
請求項２の発明は、透過部材に対して媒体の搬送方向における上流側及び下流側の面が透過部材の下面と同一面である構成に比べて、透過部材に対する媒体の接触を減らすことができる。
【００２５】
請求項３の発明は、突出部の先端が、対向面の延長線よりも検知手段側に位置している構成に比べて、透過部材に対する媒体の接触を減らすことができる。
【００２６】
請求項４の発明は、突出部が、対向面で透過部材に最も近い点を通り且つ受光部材によって受光される光の光軸と直交する線を越えて対向部材側へ突出していない構成に比べて、透過部材に対する媒体の接触を減らすことができる。
【００２７】
請求項５の発明は、突出部が、光軸と透過部材との交点を通り該光軸と直交する線に対して、最も近い点を通り且つ光軸と直交する線を越えて対向部材側へ突出していない構成に比べて、透過部材に対する媒体の接触を減らすことができる。
【００２８】
請求項６の発明は、検知手段の筐体と突出部とが別々に設けられている構成に比べて、筐体と突出部との隙間への媒体の進入を抑制することができる。請求項７の発明は、上流面と対向面が不連続の構成に比べて、媒体を適正に搬送することができる。
【００２９】
請求項８の発明は、媒体の搬送方向と交差する方向から見て、上流面の延長線と透過部材との交点が光軸よりも下流側にある構成に比べて、透過部材の光の透過位置に媒体の先端が最初に当るのを抑えることができる。
【００３０】
請求項９の発明は、上流面と対向面との境界部が角部となっている構成に比べて、対向部材と媒体との接触による媒体の傷を抑えることができる。
【００３１】
請求項１０の発明は、対向面と上流面との境界位置が、検知手段による検知に用いられる光の光軸よりも下流側にある構成に比べて、透過部材の光の透過位置に媒体の先端が最初に当るのを抑えることができる。また、検知手段に於ける媒体の位置制御にも効果がある。
【００３２】
請求項１１の発明は、透過部材との距離が対向面と変わらない構成に比べて、透過部材に対する媒体の接触を減らすことができる。
【００３３】
請求項１２の発明は、対向面と下流面との境界部が角部となっている構成に比べて、対向部材と媒体との接触による媒体の傷を抑えることができる。
【００３４】
請求項１３の発明は、対向面が、光軸よりも下流側に寄って設けられている構成に比べて、透過部材の光の透過位置に媒体の先端が最初に当るのを抑えることができる。
【００３６】
請求項１４の発明は、案内部材の下流側の端部が直線状となっている構成に比べて、案内部材との接触による媒体の傷を抑えることができる。
【００３７】
請求項１５の発明は、対向面の幅が透過部材の幅よりも長い構成に比べて、透過部材に対する媒体の接触を減らすことができる。
【００３８】
請求項１６の発明は、対向面の幅が透過部材の幅よりも長い構成に比べて、透過部材に対する媒体の接触を減らすことができる。
【００３９】
請求項１７の発明は、対向面の幅が透過部材の幅よりも長い構成に比べて、透過部材に対する媒体の接触を減らすことができる。
【００４０】
請求項１８の発明は、透過部材に対して媒体の搬送方向における上流側及び下流側の面が透過部材の下面と同一面である構成に比べて、搬送中の媒体の画像を検知するときに、媒体が透過部材に接触するのを抑えることができる。
【図面の簡単な説明】
【００４１】
【図１】本発明の実施形態に係る画像形成装置の全体図である。
【図２】本発明の実施形態に係る画像形成ユニットの構成図である。
【図３】本発明の実施形態に係るインラインセンサの構成図である。
【図４】本発明の実施形態に係る基板室に空気を送り込む状態を示す説明図である。
【図５】本発明の実施形態に係るインラインセンサの記録媒体の搬送経路部分を拡大した断面図である。
【図６】本発明の実施形態に係る複合検査面の構成図である。
【図７】（Ａ）本発明の実施形態に係る検知面、検出基準面、及び各凸部の位置関係を示す断面図である。（Ｂ）本発明の実施形態に係る基準ロールの外形を示す模式図である。
【図８】（Ａ）、（Ｂ）本発明の実施形態に係るインラインセンサにおいて上向きカールの記録媒体Ｐが搬送される状態を示す説明図である。
【図９】（Ａ）、（Ｂ）、（Ｃ）本発明の実施形態に係るインラインセンサにおいて下向きカールの記録媒体Ｐが搬送される状態を示す説明図である。
【図１０】（Ａ）本発明の実施形態に係るウインドウガラス、凸部、及び対向面の位置関係の第１変形例を示す模式図である。（Ｂ）本発明の実施形態に係るウインドウガラス、凸部、及び対向面の位置関係の第２変形例を示す模式図である。
【図１１】（Ａ）本発明の実施形態に係るウインドウガラス、凸部、及び対向面の位置関係の第３変形例を示す模式図である。（Ｂ）本発明の実施形態に係るウインドウガラス、凸部、及び対向面の位置関係の第４変形例を示す模式図である。
【図１２】（Ａ）本発明の実施形態に係るウインドウガラス及び対向面の位置関係の第５変形例を示す模式図である。（Ｂ）本発明の実施形態に係るウインドウガラス及び対向面の位置関係の第６変形例を示す模式図である。
【発明を実施するための形態】
【００４２】
本発明の実施形態に係る検知装置及び画像形成装置の一例について説明する。
【００４３】
（全体構成）
図１には、画像形成装置１０が示されている。画像形成装置１０は、カラー画像又は白黒画像を形成するものであり、正面視で左側に配置された第１処理部１０Ａと、第１処理部１０Ａと着脱可能とされ右側に配置された第２処理部１０Ｂとを有している。第１処理部１０Ａ及び第２処理部１０Ｂの筐体は、複数のフレーム材で構成されている。なお、以下の説明では、画像形成装置１０の長さ方向（媒体の一例としての記録媒体Ｐの搬送方向である副走査方向）をＸ方向、装置の高さ方向をＹ方向、装置の奥行き方向（主走査方向）をＺ方向ということとする。
【００４４】
第１処理部１０Ａの上部には、第１特別色（Ｖ）、第２特別色（Ｗ）、イエロー（Ｙ）、マゼンタ（Ｍ）、シアン（Ｃ）、ブラック（Ｋ）の各トナーを収容するトナーカートリッジ１４Ｖ、１４Ｗ、１４Ｙ、１４Ｍ、１４Ｃ、１４Ｋが水平方向に沿って交換可能に設けられている。
【００４５】
なお、第１特別色及び第２特別色としては、イエロー、マゼンタ、シアン、ブラック以外の色（透明を含む）から適宜選択される。また、以後の説明では、各構成部品について第１特別色（Ｖ）、第２特別色（Ｗ）、イエロー（Ｙ）、マゼンタ（Ｍ）、シアン（Ｃ）、ブラック（Ｋ）を区別する場合は、数字の後にＶ、Ｗ、Ｙ、Ｍ、Ｃ、Ｋのいずれかの英字を付して説明し、第１特別色（Ｖ）、第２特別色（Ｗ）、イエロー（Ｙ）、マゼンタ（Ｍ）、シアン（Ｃ）、ブラック（Ｋ）を区別しない場合は、Ｖ、Ｗ、Ｙ、Ｍ、Ｃ、Ｋを省略する。
【００４６】
さらに、トナーカートリッジ１４の下側には、各色のトナーに対応する６つの画像形成部の一例としての画像形成ユニット１６が、各トナーカートリッジ１４と対応するようにＸ方向に沿って設けられている。そして、画像形成ユニット１６毎に設けられた露光装置４０は、第２処理部１０Ｂの上部に設けられた画像信号処理部１３によって画像処理を施された画像データを受け取り、この画像データに応じて変調した光ビームＬを後述の感光体１８（図２参照）へ照射するように構成されている。
【００４７】
図２に示すように、各画像形成ユニット１６は、矢印Ｒ方向（図示の時計回り方向）に回転駆動される感光体１８を有している。各感光体１８では、各露光装置４０から光ビームＬが照射されることにより静電潜像が形成されるようになっている。ここで、露光装置４０は、光源（図示省略）から出射された光をポリゴンミラー４３で主走査方向に走査すると共に、ｆθレンズ及び反射ミラーを含む複数の光学部品４５によって感光体１８の外周面に光ビームＬを照射し、露光を行っている。
【００４８】
各感光体１８の周囲には、感光体１８を帯電するコロナ放電方式（非接触帯電方式）のスコロトロン帯電器２０と、露光装置４０によって感光体１８に形成された静電潜像を現像剤（トナー）で現像する現像装置２２と、一次転写後の感光体１８に残留する現像剤を除去する除去部材としてのブレード２４と、ブレード２４による現像剤の除去後の感光体１８に光を照射して除電を行う除電装置２６とが設けられている。そして、スコロトロン帯電器２０、現像装置２２、ブレード２４、除電装置２６は、感光体１８の表面と対向して、感光体１８の回転方向の上流側から下流側へ向けてこの順番で配置されている。
【００４９】
現像装置２２は、トナーを含んだ現像剤Ｇを収容する現像剤収容部材２２Ａと、現像剤収容部材２２Ａに収容された現像剤Ｇを感光体１８に供給する現像ロール２２Ｂとを含んで構成されている。現像剤収容部材２２Ａは、トナー供給路（図示省略）を介してトナーカートリッジ１４（図１参照）と接続されており、トナーカートリッジ１４からトナーが供給されるようになっている。
【００５０】
一方、図１に示すように、各画像形成ユニット１６の下側には、転写部３２が設けられている。転写部３２は、外周面が各感光体１８の外周面と接触する環状の中間転写ベルト３４と、各感光体１８に形成されたトナー画像を中間転写ベルト３４に多重転写させる一次転写部材としての一次転写ロール３６とを含んで構成されている。
【００５１】
中間転写ベルト３４は、モータ（図示省略）で駆動される駆動ロール３８と、中間転写ベルト３４に張力を付与する張力付与ロール４１と、後述する二次転写ロール６２に対向する対向ロール４２と、複数の巻掛ロール４４とに巻き掛けられており、駆動ロール３８により、一方向（図示の反時計回り方向）に循環移動されるようになっている。
【００５２】
各一次転写ロール３６は、中間転写ベルト３４を挟んでそれぞれの各画像形成ユニット１６の感光体１８と対向配置されている。また、一次転写ロール３６は、給電ユニット（図示省略）によって、トナー極性とは逆極性の転写バイアス電圧が印加されるようになっている。この構成により、感光体１８に形成されたトナー画像が中間転写ベルト３４に転写されるようになっている。
【００５３】
中間転写ベルト３４を挟んで駆動ロール３８の反対側には、ブレードを中間転写ベルト３４の外周面に接触させて、中間転写ベルト３４上の残留トナーや紙粉等を除去する除去装置４６が設けられている。また、転写部３２の下方には、用紙等の記録媒体が収容される記録媒体収容部４８が水平方向に沿って２個設けられている。
【００５４】
各記録媒体収容部４８は、第１処理部１０ＡからＺ方向手前側に引き出し自在とされている。また、各記録媒体収容部４８の一端側（図１における右側）の上方には、各記録媒体収容部４８から記録媒体Ｐを搬送路の一例としての搬送経路６０へ送り出す送出ロール５２が設けられている。さらに、各記録媒体収容部４８内には、記録媒体Ｐが載せられる底板５０が設けられている。この底板５０は、記録媒体収容部４８が第１処理部１０Ａから引き出されると、制御手段（図示省略）の指示によって下降するようになっている。そして、底板５０が下降することで、ユーザーが記録媒体Ｐを補充する空間が記録媒体収容部４８に形成される。
【００５５】
第１処理部１０Ａから引き出された記録媒体収容部４８を第１処理部１０Ａに装着すると、底板５０が制御手段の指示によって上昇するようになっている。そして、底板５０が上昇することで、底板５０に載せられた最上位の記録媒体Ｐと送出ロール５２とが当るようになっている。また、送出ロール５２の記録媒体搬送方向下流側（以下、単に「下流側」という場合がある）には、記録媒体収容部４８から重なって送り出された記録媒体Ｐを１枚ずつに分離する分離ロール５６が設けられている。分離ロール５６の下流側には、記録媒体Ｐを搬送方向下流側に搬送する複数の搬送ロール５４が設けられている。
【００５６】
記録媒体収容部４８と転写部３２との間に設けられる搬送経路６０は、記録媒体収容部４８から送り出された記録媒体Ｐを第１折返部６０Ａで図１における左側に折り返し、さらに、第２折返部６０Ｂで図１における右側に折り返すように、二次転写ロール６２と対向ロール４２との間の転写位置Ｔへ延びている。
【００５７】
二次転写ロール６２は、給電部（図示省略）によって、トナー極性とは逆極性の転写バイアス電圧が印加されるようになっている。そして、中間転写ベルト３４に多重転写された各色のトナー画像は、二次転写ロール６２によって、搬送経路６０に沿って搬送されてきた記録媒体Ｐに二次転写される構成となっている。
【００５８】
また、搬送経路６０の第２折返部６０Ｂへ合流するようにして、第１処理部１０Ａの左側面から延びる予備経路６６が設けられている。そして、第１処理部１０Ａの左側に隣接して配置される別の記録媒体収容部（図示省略）から送り出された記録媒体Ｐが、予備経路６６を通って搬送経路６０に入り込めるようになっている。
【００５９】
一方、第１処理部１０Ａにおける搬送経路６０で転写位置Ｔの下流側には、トナー画像が転写された記録媒体Ｐを第２処理部１０Ｂに向けて搬送する搬送部の一例としての複数の搬送ベルト７０が設けられている。また、第２処理部１０Ｂには、搬送ベルト７０で搬送された記録媒体Ｐを下流側に搬送する搬送部の一例としての搬送ベルト８０が設けられている。
【００６０】
複数の搬送ベルト７０及び搬送ベルト８０のそれぞれは、環状に形成されており、一対の巻掛ロール７２に巻き掛けられている。一対の巻掛ロール７２は、記録媒体Ｐの搬送方向上流側と下流側とにそれぞれ配置されており、一方が回転駆動することにより、搬送ベルト７０、搬送ベルト８０を一方向（図１における時計回り方向）に循環移動させる。また、搬送ベルト８０の下流側には、記録媒体Ｐの表面に転写された（画像形成された）トナー画像を記録媒体Ｐに熱と圧力の作用により定着させる定着ユニット８２が設けられている。
【００６１】
定着ユニット８２は、搬送経路６０の上側（記録媒体Ｐの画像形成面側）に配置された定着ベルト８４と、搬送経路６０を挟んで定着ベルト８４に対して下側から接触するように配置された加圧ロール８８と、を有している。そして、定着ベルト８４と加圧ロール８８との間には、記録媒体Ｐを加圧及び加熱してトナー画像を定着させる定着部Ｎが形成されている。
【００６２】
定着ベルト８４は、環状に形成されており、上下に配置された駆動ロール８９及び従動ロール９０に巻き掛けられている。駆動ロール８９は、加圧ロール８８に対して上側から対向しており、従動ロール９０は、駆動ロール８９よりも上側に配置されている。また、駆動ロール８９及び従動ロール９０は、それぞれに、ハロゲンヒータ等の加熱部が内蔵されている。これにより、定着ベルト８４が加熱されるようになっている。
【００６３】
定着ユニット８２の下流側には、定着ユニット８２から送り出された記録媒体Ｐを下流側へ搬送する搬送部の一例としての搬送ベルト１０８が設けられている。搬送ベルト１０８は、搬送ベルト７０と同様の構成となっている。また、搬送ベルト１０８の下流側には、定着ユニット８２によって加熱された記録媒体Ｐを冷却する冷却ユニット１１０が設けられている。
【００６４】
冷却ユニット１１０は、記録媒体Ｐの熱を吸収する吸収装置１１２と、記録媒体Ｐを吸収装置１１２に押し付ける押付装置１１４とを含んで構成されている。吸収装置１１２は、搬送経路６０に対する一方側（図１における上側）に配置され、押付装置１１４は、他方側（図１における下側）に配置されている。
【００６５】
吸収装置１１２は、記録媒体Ｐと接触し、記録媒体Ｐの熱を吸収する環状の吸収ベルト１１６を備えている。吸収ベルト１１６は、吸収ベルト１１６へ駆動力を伝達する駆動ロール１２０と、複数の巻掛ロール１１８とに巻き掛けられている。また、吸収ベルト１１６の内周側には、吸収ベルト１１６と面状に接触して吸収ベルト１１６が吸収した熱を放熱させるアルミニウム材料で形成されたヒートシンク１２２が設けられている。さらに、第２処理部１０Ｂの裏側（図１の紙面奥側）には、ヒートシンク１２２の放熱により生じた熱気を外部へ排出させるためのファン１２８が設けられている。
【００６６】
押付装置１１４は、記録媒体Ｐを吸収ベルト１１６へ押し付けながら記録媒体Ｐを搬送する搬送部の一例としての環状の押付ベルト１３０を備えている。押付ベルト１３０は、複数の巻掛ロール１３２に巻き掛けられている。
【００６７】
また、搬送経路６０上で冷却ユニット１１０の下流側には、記録媒体Ｐを挟んで搬送し、記録媒体Ｐの湾曲（カール）を矯正する矯正装置１４０が設けられている。そして、搬送経路６０上で矯正装置１４０よりも下流側には、記録媒体Ｐに定着されたトナー画像のトナー濃度欠陥、画像欠陥、画像位置欠陥、及び記録媒体Ｐの位置や形状等を検知する検知装置の一例としてのインラインセンサ２００が設けられている。なお、インラインセンサ２００については、詳細を後述する。
【００６８】
搬送経路６０上でインラインセンサ２００の下流側には、片面に画像が形成された記録媒体Ｐを第２処理部１０Ｂの側面に取り付けられた排出部１９６に排出する排出ロール１９８が設けられている。一方、記録媒体Ｐの両面に画像を形成する場合は、インラインセンサ２００から送出された記録媒体Ｐが、インラインセンサ２００の下流側に設けられた反転経路１９４に搬送されるようになっている。
【００６９】
反転経路１９４には、搬送経路６０から分岐する分岐パス１９４Ａと、分岐パス１９４Ａに沿って搬送される記録媒体Ｐを第１処理部１０Ａ側に向けて搬送する用紙搬送パス１９４Ｂと、用紙搬送パス１９４Ｂに沿って搬送される記録媒体Ｐを逆方向に向けて折返してスイッチバック搬送させて表裏を反転させる反転パス１９４Ｃが設けられている。この構成により、反転パス１９４Ｃでスイッチバック搬送された記録媒体Ｐは、第１処理部１０Ａに向けて搬送され、さらに、記録媒体収容部４８の上方に設けられた搬送経路６０に入り込み、転写位置Ｔへ再度送り込まれるようになっている。
【００７０】
次に、画像形成装置１０の画像形成工程について説明する。
【００７１】
図１に示すように、まず、画像信号処理部１３で画像処理が施された画像データが各露光装置４０に送られる。そして、図２に示すように、各露光装置４０では、画像データに応じて各光ビームＬを出射して、スコロトロン帯電器２０によって帯電した各感光体１８の外周面に露光し、静電潜像が形成される。さらに、感光体１８に形成された静電潜像は、現像装置２２によって現像され、第１特別色（Ｖ）、第２特別色（Ｗ）、イエロー（Ｙ）、マゼンタ（Ｍ）、シアン（Ｃ）、ブラック（Ｋ）の各色のトナー画像が形成される。
【００７２】
続いて、図１に示すように、各画像形成ユニット１６Ｖ、１６Ｗ、１６Ｙ、１６Ｍ、１６Ｃ、１６Ｋの感光体１８（図２参照）に形成された各色のトナー画像は、６つの一次転写ロール３６Ｖ、３６Ｗ、３６Ｙ、３６Ｍ、３６Ｃ、３６Ｋによって中間転写ベルト３４に順次多重転写される。そして、中間転写ベルト３４に多重転写された各色のトナー画像は、記録媒体収容部４８から搬送されてきた記録媒体Ｐ上に二次転写ロール６２によって二次転写される。さらに、トナー画像が転写された記録媒体Ｐは、搬送ベルト７０によって第２処理部１０Ｂの内部に設けられた定着ユニット８２に向けて搬送される。
【００７３】
続いて、定着ユニット８２では、記録媒体Ｐ上の各色のトナー画像が加熱及び加圧されることで記録媒体Ｐに定着される。そして、トナー画像が定着された記録媒体Ｐは、冷却ユニット１１０を通過して冷却された後、矯正装置１４０に送り込まれ、記録媒体Ｐに生じた湾曲が矯正される。さらに、湾曲が矯正された記録媒体Ｐは、インラインセンサ２００によって画像欠陥等が検知された後、排出ロール１９８によって排出部１９６に排出される。
【００７４】
一方、記録媒体Ｐの画像が形成されていない側の非画像面に画像を形成させる場合（両面印刷の場合）は、インラインセンサ２００を通過した後に、記録媒体Ｐが、反転経路１９４で表裏を反転され、さらに記録媒体収容部４８の上方に設けられた搬送経路６０に送り込まれて、前述した手順で裏面にトナー画像が形成される。
【００７５】
なお、本実施形態に係る画像形成装置１０では、第１特別色及び第２特別色の画像を形成するための部品（画像形成ユニット１６Ｖ、１６Ｗ、露光装置４０Ｖ、４０Ｗ、トナーカートリッジ１４Ｖ、１４Ｗ、一次転写ロール３６Ｖ、３６Ｗ）は、ユーザーの選択により、追加部品として第１処理部１０Ａに装着又は離脱可能に構成されている。従って、画像形成装置１０としては、第１特別色及び第２特別色の画像を形成するための部品を有さない構成、第１特別色及び第２特別色のうちいずれか１色の画像を形成するための部品のみを有する構成としてもよい。
【００７６】
次に、インラインセンサ２００について説明する。
【００７７】
（インラインセンサ２００の基本構成）
図３に示すように、インラインセンサ２００は、画像が記録された記録媒体Ｐに向けて光を照射する照射部２０２と、照射部２０２から照射され記録媒体Ｐで反射された光を受光する受光部材の一例としてのＣＣＤセンサ２０４に結像する結像光学系２０６を備えた結像部２０８と、インラインセンサ２００の使用時やキャリブレーション時の各種基準等が設定された設定部２１０とを備えている。ＣＣＤセンサ２０４は、記録媒体Ｐで反射された光を受光すると共に、光の強度に基づいて画像（像）又は記録媒体Ｐを検知する構成となっている。
【００７８】
なお、記録媒体Ｐからの光とは、記録媒体Ｐで反射された反射光および記録媒体Ｐを透過した透過光を含み、より広くは、記録媒体Ｐ上に形成された像や記録媒体Ｐの位置や形状に関する情報を検知することができる光である。また、透過とは、光がウインドウガラス等を通り抜けることのほか、結像レンズ等を光が通り抜けることも含む。さらに、記録媒体Ｐの検知とは、記録媒体Ｐの位置、形状を検知することを含む。
【００７９】
照射部２０２は、記録媒体Ｐの搬送経路６０の上側に配置されており、記録媒体Ｐへ向けて光を照射する一対のランプ２１２を有している。各ランプ２１２は、Ｚ方向に長手とされたキセノンランプであり、その照射範囲の長さは搬送される最大の記録媒体Ｐの幅よりも大とされている。一対のランプ２１２は、記録媒体Ｐにて反射されて結像部２０８に向かう光軸ＯＡ（設計上の光軸）に対し対称に配置されている。より具体的には、各ランプ２１２は、記録媒体Ｐへの照射角がそれぞれ４５°〜５０°となるように光軸ＯＡに対し対称に配置されている。
【００８０】
詳細には、一対のランプ２１２は、記録媒体Ｐの搬送方向の上流側に設けられた第１ランプ２１２Ａと、第１ランプ２１２Ａに対して光軸ＯＡを挟んで反対側に設けられた第２ランプ２１２Ｂとを備えている。なお、ＣＣＤセンサ２０４、ランプ２１２、及び後述する透過部材の一例としてのウインドウガラス２８６を含んで検知手段の一例としての検知部２０７が構成されている。そして、搬送される記録媒体Ｐの画像は、検知部２０７で検知される。
【００８１】
結像光学系２０６は、光軸ＯＡに沿って導かれた光をＸ方向（この実施形態では記録媒体Ｐの搬送方向下流側）に反射する第１ミラー２１４と、第１ミラー２１４が反射した光を上向きに反射する第２ミラー２１６と、第２ミラー２１６が反射した光を記録媒体Ｐの搬送方向上流側に反射する第３ミラー２１８と、第３ミラー２１８が反射した光をＣＣＤセンサ２０４に集光（結像）するレンズ２２０とを主要部として構成されている。ＣＣＤセンサ２０４は、光軸ＯＡに対し記録媒体Ｐの搬送方向上流側に配置されている。
【００８２】
第１ミラー２１４のＺ方向の長さは、最大の記録媒体Ｐの幅よりも大とされている。そして、第１ミラー２１４、第２ミラー２１６、及び第３ミラー２１８は、結像光学系２０６に入射された記録媒体Ｐの反射光をそれぞれＺ方向（主走査方向）に絞りながら反射するようになっている。これにより、略円柱状のレンズ２２０に対し、記録媒体Ｐの幅方向各部からの反射光を入射させる構成である。
【００８３】
上記構成により、インラインセンサ２００では、ＣＣＤセンサ２０４が、結像された光即ち画像濃度に応じた信号を、画像形成装置１０の第１処理部１０Ａに設けられた制御装置１９２（図１参照）に出力（フィードバック）するようになっている。制御装置１９２は、インラインセンサ２００からの信号に基づいて、画像形成ユニット１６において形成される画像を補正するようになっている。そして、画像形成装置１０では、一例として、露光装置４０による照射光の強度、画像の形成位置などがインラインセンサ２００からの信号に基づいて補正される。
【００８４】
また、結像光学系２０６における第３ミラー２１８とレンズ２２０との間には、光量絞り部２２４が設けられている。光量絞り部２２４は、光路をＺ方向に横切ってＣＣＤセンサ２０４に結像する光の光量をＹ方向（主走査方向との交差方向）に絞ると共に、外部から操作することで光量絞り量を調整可能に構成されている。光量絞り部２２４による光量絞り量は、経時により各ランプ２１２の発光量が変化しても、ＣＣＤセンサ２０４に結像される光量が予め定めた量となるように調整されるようになっている。
【００８５】
一方、設定部２１０は、Ｚ方向に長手の基準ロール２２６を備えている。基準ロール２２６は、記録媒体Ｐの画像検知を行う際に搬送経路６０側に向けられる検出基準面２２８と、インラインセンサ２００による記録媒体Ｐの画像検知を行わない場合に搬送経路６０側に向けられる退避面２３０と、白色基準面２３２と、多色のパターンが長手方向に沿って形成されたカラー基準面２３４と、複数の検査パターンが形成された複合検査面２３６とを有する。この実施形態では、基準ロール２２６は、周方向に８面以上の面が形成された多角形筒状に形成されている。そして、検出基準面２２８、退避面２３０、カラー基準面２３４、複合検査面２３６は各一面だけ設けられ、白色基準面２３２は２面設けられている。
【００８６】
また、基準ロール２２６は、回転軸２２６Ａ周りに回転することで、搬送経路６０側を向ける面を切り替える構成とされている。この基準ロール２２６の面の切替は、後述する回路基板２６２に設けられた制御回路（図示省略）によって行われるようになっている。さらに、基準ロール２２６は、八角形以上の多角形筒状に形成されることで、各面の周方向中央と面間の角部との回転中心に対する距離差が小さく抑えられている。これにより、基準ロール２２６の各面と各ランプ２１２の照射位置（後述するウインドウガラス２８６）との距離を小さく抑えながら、基準ロール２２６の面間の角部が照射部２０２と干渉しない構成とされている。
【００８７】
検出基準面２２８は、周方向の幅が他の面よりも小で、且つ記録媒体Ｐの搬送方向におけるウインドウガラス２８６の幅よりも小とされており、その周方向両側の面は、上記した各基準としての機能を有しない案内面２３８とされている。また、検出基準面２２８は、搬送される記録媒体Ｐの被検知（被読み取り）面を各ランプ２１２による照射位置に位置決めする位置基準面とされている。
【００８８】
退避面２３０は、周方向の幅が他の面よりも大とされている。この退避面２３０は、インラインセンサ２００による記録媒体Ｐの画像検知を行わない場合に、記録媒体Ｐを案内する案内面であり、検出基準面２２８よりも回転軸２２６Ａの軸心からの距離が小とされている。これにより、インラインセンサ２００による記録媒体Ｐの画像検知を行わない場合には、インラインセンサ２００による記録媒体Ｐの画像検知を行う場合よりも、照射部２０２（ウインドウガラス２８６）との間隔が広い搬送経路が形成されるようになっている。
【００８９】
白色基準面２３２は、結像光学系２０６のキャリブレーション用であり、予め定められた信号が結像光学系２０６から出力される基準の白色フィルムが貼着されて構成されている。カラー基準面２３４は、結像光学系２０６のキャリブレーション用であり、各色に応じて基準色のパターンが施されたフィルムが貼着されて構成されている。
【００９０】
図６に示すように、複合検査面２３６は、基準ロール２２６の回転方向（記録媒体Ｐの搬送方向）の位置をキャリブレーションするための位置調整パターン２４０と、フォーカス検出パターン２４２と、深度検出パターン２４４とが同一面に配置されて形成されている。
【００９１】
位置調整パターン２４０は、黒色の「Ｎ」字のパターンが、該「Ｎ」字の縦線が記録媒体Ｐの搬送方向に沿うように形成された白地のフィルムが貼着されることで構成されている。フォーカス検出パターン２４２は、記録媒体Ｐの搬送方向に沿った黒色の直線が多数並列された如きラダーパターンが形成された白地のフィルムが貼着されることで構成されている。
【００９２】
深度検出パターン２４４は、基準ロール２２６の回転軸２２６Ａ（図２参照）からの距離が異なる３つの白色面２４４Ａ、２４４Ｂ、２４４Ｃが、複合検査面２３６の長手方向に階段状に配列されたパターンで構成されており、このパターンが形成されたシート材を貼着することで形成されている。
【００９３】
ここで、位置調整パターン２４０は、複合検査面２３６の長手方向の両端に少なくとも１つずつ設けられている。また、フォーカス検出パターン２４２は、上記両端に配置された位置調整パターン２４０に対する複合検査面２３６の長手方向中央側に隣接するように配置されている。深度検出パターン２４４は、複合検査面２３６の長手方向の両端側と、中央部とに計３つ設けられている。この実施形態では、中央に配置された深度検出パターン２４４と長手方向一端に配置された深度検出パターン２４４との間に、さらに位置調整パターン２４０、フォーカス検出パターン２４２が各１つ配置されている。
【００９４】
次に、ＣＣＤセンサ２０４のキャリブレーションの手順について説明する。
【００９５】
図３において、先ず、白色基準面２３２を記録媒体Ｐの搬送経路６０に向ける。そして、ＣＣＤセンサ２０４は、Ｚ方向（主走査方向）の光量分布を補正するシェーディング補正信号を出力する。続いて、複合検査面２３６が記録媒体Ｐの搬送経路６０に向けられ、位置調整パターン２４０（図６参照）により、記録媒体Ｐの搬送方向のＣＣＤセンサ２０４による検知位置が自動的に調整される。即ち、「Ｎ」字のパターンをＺ方向（主走査方向）に横切って検知することで、図６に示すように、２つの直線部２４０Ａ、２４０Ｃ間に斜線部２４０Ｂが検知される。そして、直線部２４０Ａと斜線部２４０Ｂとの間隔と、直線部２４０Ｃと斜線部２４０Ｂとの間隔とが等しくなるように基準ロール２２６が回転され、検出位置が調整される。
【００９６】
続いて、記録媒体Ｐの搬送方向の検知位置が調整された後に、フォーカス検出パターン２４２（図６参照）によりＣＣＤセンサ２０４の焦点が確認されると共に、深度検出パターン２４４により、照射深度が確認される。さらに、カラー基準面２３４が記録媒体Ｐの搬送経路６０に向けられる。そして、ＣＣＤセンサ２０４は、各色において、予め定められた強度の信号が出力されるように、自動的に調整される。
【００９７】
なお、上記した如くＣＣＤセンサ２０４のキャリブレーションは、一例として画像形成装置１０の電源投入時（１回／日程度）に行われる。一方、ＣＣＤセンサ２０４の信号に基づく画像形成装置１０のキャリブレーションは、一例として予め定められた量以上の記録媒体Ｐに画像を形成したジョブの終了毎（１０回／日程度）に行われる。
【００９８】
（インラインセンサ２００の分割構造）
図３に示すように、上記したインラインセンサ２００は、照射部２０２を主要部とするセンターユニット２４６と、結像部２０８を主要部とするアッパユニット２４８と、設定部２１０を主要部とするロアユニット２５０とに３分割可能な構造とされている。
【００９９】
アッパユニット２４８は、画像形成装置１０の第２処理部１０Ｂ（図１参照）に対しＺ方向にスライドして着脱可能とされている。センターユニット２４６は、アッパユニット２４８に対しＺ方向にスライドして着脱可能とされている。ロアユニット２５０は、センターユニット２４６及びアッパユニット２４８に対しＺ方向にスライドして着脱可能とされている。なお、記録媒体Ｐの搬送経路６０の下側に配置されるロアユニット２５０は、記録媒体Ｐのつまりを解消するために第２処理部１０ＢからＺ方向手前側に引き出される下側ドロワ（図示省略）に支持されており、この下側ドロワの出し入れに伴って、センターユニット２４６及びアッパユニット２４８に対し脱着されるようになっている。以下、各構成を具体的に説明する。
【０１００】
（アッパユニット２４８の構成）
アッパユニット２４８は、アッパハウジング２５４を備えている。アッパハウジング２５４は、結像部２０８及び後述する回路基板２６２を収容すると共に冷却用のダクト２６５等を構成している。アッパハウジング２５４は、ＣＣＤセンサ２０４、結像光学系２０６を収容した結像系ハウジング２５６を有して構成されている。
【０１０１】
結像系ハウジング２５６は、Ｚ方向から見てＸ方向に長手の略矩形箱状に形成されており、該Ｘ方向の一端部（この実施形態では、記録媒体Ｐの搬送方向上流側の端部）にＣＣＤセンサ２０４を収容している。また、結像系ハウジング２５６におけるＸ方向の他端部には、第２ミラー２１６、第３ミラー２１８が配置されている。そして、結像系ハウジング２５６におけるＸ方向の略中央部には、光軸ＯＡに沿って光が入射される窓部２５６Ａが形成されている。結像系ハウジング２５６には、窓部２５６Ａが光透過性のウインドウガラス２５８にて閉止されることで、内部が密閉（気密）の空間とされると共にＣＣＤセンサ２０４等が収容される光学室２０５が設けられている。
【０１０２】
また、アッパハウジング２５４は、結像系ハウジング２５６を上方から覆うアッパカバー２６０を備えている。これにより、結像系ハウジング２５６の上壁２５６Ｕとアッパカバー２６０との間に回路基板２６２が収容される基板室２６４が形成されている。また、アッパハウジング２５４は、結像系ハウジング２５６におけるＣＣＤセンサ２０４が配置された側であるＸ方向一端部の外側にダクト２６５を形成するダクトカバー２６８を備えている。ダクトカバー２６８は、結像系ハウジング２５６の上記端部を記録媒体Ｐの搬送方向上流側及び下流側から覆って、Ｘ−Ｙ断面形状が「Ｌ」字状であるダクト２６５を形成している。
【０１０３】
ダクト２６５の上端は、空気取入口２６６Ａとされており、ダクト２６５の空気取入口２６６Ａと反対側の端部は、後述するランプハウジング２８４のダクト３０８に接続される接続口２６６Ｂとされている。ダクト２６５には、該ダクト２６５内を上側から下側に向かう気流を生じさせるファン２７０が配置されている。また、ダクト２６５には、結像系ハウジング２５６に設けられた光学室２０５に空気を送り込む（光学室２０５内を正圧にする）ファン２７２が配置されている。さらに、ダクト２６５には、基板室２６４に空気を送り込むファン２７４（図４参照）が設けられている。
【０１０４】
さらに、アッパハウジング２５４は、結像系ハウジング２５６を第２ミラー２１６、第３ミラー２１８側から覆うカバー２７５を備えている。カバー２７５は、結像系ハウジング２５６との間に断熱空間２７６を形成している。そして、アッパハウジング２５４には、Ｚ方向に長手とされたスライダ２７８が設けられている。この実施形態では、矢印Ｘ方向に並列して一対のスライダ２７８がアッパカバー２６０に設けられている。各スライダ２７８は、第２処理部１０Ｂのフレーム（図示省略）に設けられたレールに嵌合可能となっている。これにより、各スライダ２７８は、レールに案内されつつ移動し、アッパユニット２４８が第２処理部１０Ｂに対しＺ方向に移動されるようになっている。
【０１０５】
（センターユニット２４６の構成）
図３に示すように、センターユニット２４６は、一対のランプ２１２を収容するランプハウジング２８４と、ランプ２１２から記録媒体Ｐに向けて照射される光が透過するウインドウガラス２８６と、ウインドウガラス２８６を保持したウインドウカバー２８８とを有している。ウインドウガラス２８６は、記録媒体Ｐの搬送経路６０とランプ２１２との間に配置され、搬送経路６０と対向して設けられている。また、ランプハウジング２８４は、上下に開口する箱状を成しており、上側の開口端がアッパハウジング２５４にて閉止されると共に、下側の開口端がウインドウカバー２８８にて閉止されている。
【０１０６】
そして、照射部２０２では、各ランプ２１２が発した光はウインドウガラス２８６を通じて記録媒体Ｐに照射され、記録媒体Ｐにて反射された光はウインドウガラス２８６を通じて光軸ＯＡに沿ってランプハウジング２８４内に入射されるようになっている。ランプハウジング２８４に入射された記録媒体Ｐからの反射光は、結像部２０８を構成する結像系ハウジング２５６のウインドウガラス２５８を通じて該結像部２０８内に導かれる構成とされている。
【０１０７】
ランプハウジング２８４は、上側の開口縁から矢印Ｘ方向にフランジ状に張り出されＺ方向に長手の一対のスライダ２９０を備えている。スライダ２９０は、アッパハウジング２５４に形成されたレール２９２に嵌合されている。これにより、各スライダ２９０は、レール２９２に案内されつつ移動し、ランプハウジング２８４がアッパハウジング２５４（アッパユニット２４８）に対しＺ方向に着脱されるようになっている。
【０１０８】
ウインドウカバー２８８は、自らのエッジ及びウインドウガラス２８６のエッジが記録媒体Ｐの搬送方向上流側を向くことのないように構成されている。ウインドウガラス２８６は、ウインドウカバー２８８に形成された窓部２８８Ａを閉止する姿勢で、長手方向の両端が取り付けスプリング（図示省略）にてウインドウカバー２８８に押し付けられている。すなわち、ウインドウガラス２８６はウインドウカバー２８８に対し着脱可能に構成されている。
【０１０９】
また、ウインドウカバー２８８は、ランプハウジング２８４に対し着脱可能とされている。具体的には、ウインドウカバー２８８は、Ｘ−Ｙ断面形状が上向きに開口する「コ」字状とされており、該開口縁部に一対のスライダ２９８が設けられている。スライダ２９８は、ランプハウジング２８４に形成されたレール３００に嵌合されている。これにより、各スライダ２９８は、レール３００に案内されつつ移動し、ウインドウカバー２８８がウインドウガラス２８６に対しＺ方向に着脱されるようになっている。以上により、インラインセンサ２００では、ウインドウカバー２８８の単品での交換や清掃が可能とされている。
【０１１０】
図示は省略するが、センターユニット２４６とアッパユニット２４８とは、Ｚ方向の相対移動に伴って抜き差しされるピン、孔によって、高精度でＸ、Ｙ、Ｚの各方向に位置決めされるようになっている。また、アッパユニット２４８と第２処理部１０Ｂ（図１参照）の筐体とは、Ｚ方向の相対移動に伴って抜き差しされるピン、孔によって、高精度でＸ、Ｙ、Ｚの各方向に位置決めされるようになっている。
【０１１１】
（ロアユニット２５０の構成）
図３に示すように、ロアユニット２５０は、基準ロール２２６及び該基準ロール２２６を駆動するモータ（図示省略）を収容するロアハウジング３０２を備えている。ロアハウジング３０２は、上記の通り下側ドロワによって支持されており、該下側ドロワにＺ方向の位置が決められている。また、ロアユニット２５０とセンターユニット２４６及びアッパユニット２４８とは、Ｚ方向の相対移動に伴って抜き差しされるピン、孔によって、高精度でＸ、Ｙの各方向に位置決めされるようになっている。これにより、センターユニット２４６との間に記録媒体Ｐの搬送経路６０が位置するロアユニット２５０の、センターユニット２４６及びアッパユニット２４８に対するＸ、Ｙ、Ｚの各方向の位置が決まる構成である。
【０１１２】
（迷光対策）
図３に示すように、ランプハウジング２８４内には、一対のランプ２１２（２１２Ａ、２１２Ｂ）の上方で光軸ＯＡを囲むようにバッフル３０４が設けられている。図３に示すように、バッフル３０４は、一対の側壁３０４Ｓと底壁３０４Ｂとを少なくとも有して構成されている。この実施形態では、一対の側壁３０４Ｓは、Ｚ方向に対向する前後一対の壁（図示省略）にて連結されている。また、底壁３０４Ｂには、光軸ＯＡが入射される下側窓３０４Ｗが形成されている。そして、バッフル３０４の上側開口端は、結像系ハウジング２５６の窓部２５６Ａを囲んでいる。したがって、光軸ＯＡに沿って進む光は、バッフル３０４内を経由して結像部２０８に入射される。
【０１１３】
バッフル３０４は、各ランプ２１２の背面側から照射された光が窓部２５６Ａに至らないように寸法形状が設定されている。即ち、下側窓３０４Ｗは、各ランプ２１２の背面側から照射された光が窓部２５６Ａに直接的に至らないように開口縁の位置が設定されている。また、側壁３０４Ｓは、各ランプ２１２の背面側から照射された光が１回反射しても窓部２５６Ａに至らないように光軸ＯＡに対する傾斜角が設定されている。
【０１１４】
一方、結像系ハウジング２５６内には、結像光学系２０６による導光路以外の部分を仕切る複数の仕切壁３０６が配置されている。各仕切壁３０６は、記録媒体Ｐで反射された光の拡散角に応じて、記録媒体Ｐで反射された拡散光をＹ方向及びＺ方向に絞らない限度で光通過部の大きさ（上限）が決められた開口３０６Ａを有している。
【０１１５】
（エアフロー）
図３に示すように、ランプハウジング２８４内には、一方（この実施形態では、記録媒体Ｐの搬送方向の上流側）の側壁３０４Ｓとランプハウジング２８４の周壁とでダクト３０８が形成されている。ダクト３０８の上側開口端は、ランプハウジング２８４がアッパハウジング２５４に装着された状態で、接続口２６６Ｂを通じてダクト２６５に接続される。これにより、ファン２７０の作動によって生じた空気流がランプハウジング２８４内にも生じる構成とされている。
【０１１６】
ランプハウジング２８４の周壁におけるＸ方向においてダクト３０８側と反対側に位置する部分には、空気排出口３１０が形成されている。従って、ダクト２６５からの空気流は、ランプハウジング２８４内で、該ランプハウジング２８４の周壁及びウインドウカバー２８８によって案内されつつ、記録媒体Ｐの搬送方向の上流側の第１ランプ２１２Ａ、同下流側の第２ランプ２１２Ｂを経由して流れ、空気排出口３１０を通じてランプハウジング２８４の外部に排出されるようになっている。
【０１１７】
また、ダクト３０８を構成する側壁３０４Ｓの下端からは、第１ランプ２１２Ａの背面側から照射された光が下側窓３０４Ｗに至るのを抑制するための張出部３１２が張り出している。張出部３１２の張り出し量は、一対のランプ２１２への空気流による該一対のランプ２１２の冷却効果が同等になるように設定されている。
【０１１８】
（光量絞り部）
図３に示すように、光量絞り部２２４は、側壁２２４Ｓ、上壁２２４Ｕ、及び下壁２２４Ｌを有し、Ｘ−Ｙ断面形状が、第３ミラー２１８側に開口する断面「コ」字状とされている。この光量絞り部２２４の側壁２２４Ｓには、略矩形状の開口部３１４が形成されている。また、上壁２２４Ｕの自由端部からはリブ３１６が垂下されている。これにより、光量絞り部２２４は、開口部３１４の下縁３１４Ｌと、リブ３１６の下端３１６Ｌとで、記録媒体Ｐからの光を切り、Ｙ方向に光量を絞る構成とされている。
【０１１９】
光量絞り部２２４の長手方向一端は、結像系ハウジング２５６の手前側の壁に至っており、該光量絞り部２２４の長手方向一端には、壁に形成された操作孔を通じて調整レバー（図示省略）が取り付けられている。そして、光量絞り部２２４は、この調整レバーの操作に伴って回転し、最も光量を絞った初期位置から徐々に絞り量を減じる姿勢に移動されるようになっている。
【０１２０】
（詰まり抑制構造）
図５に示すように、センターユニット２４６（照射部２０２）とロアユニット２５０（設定部２１０）との間の搬送経路６０は、記録媒体Ｐの搬送方向下流側に向けて位置が高くなる構成とされている。そして、第１ウインドウカバー２８８及びロアハウジング３０２は、それぞれの角部に面取り又はアール加工が施されている。これによりインラインセンサ２００におけるウインドウガラス２８６よりも上流側の位置には、記録媒体Ｐの搬送方向の上流側を向く誘い込み部である入口シュート３２０が形成されている。
【０１２１】
入口シュート３２０の上部を成すアッパシュート３２０Ｕは、下向きに凸の滑らかな曲面で構成されている。ここで、基準ロール２２６の検出基準面２２８が記録媒体Ｐの搬送経路６０側を向く状態におけるＺ方向から見て、該検出基準面２２８の延長線をＩＬとすると、アッパシュート３２０Ｕは、延長線ＩＬと干渉する（アッパシュート３２０Ｕの突出端が延長線ＩＬの下側に位置する）ように寸法形状が設定されている。
【０１２２】
入口シュート３２０の下部を成すロアシュート３２０Ｌは、ロアハウジング３０２の開口端から内向きに延びるフランジ３０２Ｆに固定したロアシュート部材３２４によって、基準ロール２２６に近接されている。そして、ロアシュート部材３２４における記録媒体Ｐの搬送方向の下流端は、上向きの凸となるように丸められたアール部３２４Ａとされている。
【０１２３】
凸部３２２における記録媒体Ｐの搬送方向下流側部分とロアハウジング３０２との間には、出口シュート３２６が形成されている。出口シュート３２６の下部を成すロアシュート３２６Ｌは、ロアハウジング３０２の開口端から外向きに延びるフランジ３０２Ｆにロアシュート部材３２８を固定して構成されている。そして、ロアシュート部材３２８における記録媒体Ｐの搬送方向の下流端は、上向きの凸となるように丸められたアール部３２８Ａとされている。
【０１２４】
また、基準ロール２２６の検出基準面２２８は、ＣＣＤセンサ２０４により画像を検知する際には、ウインドウガラス２８６と略平行となる姿勢で記録媒体Ｐの側に向けられるようになっている。この検出基準面２２８の両側に設けられた各案内面２３８は、入口シュート３２０から記録媒体Ｐを受け、また出口シュート３２６に向け記録媒体Ｐを案内するようになっている。
【０１２５】
一方、基準ロール２２６の退避面２３０は、ＣＣＤセンサ２０４により画像を検知しない場合に、記録媒体Ｐの搬送方向の下流側ほどウインドウガラス２８６に近づく姿勢（非平行な姿勢）で記録媒体Ｐの側に向けられるようになっている。また、退避面２３０は、ロアシュート部材３２４のアール部３２４Ａから出口シュート３２６の近傍まで延びる幅広面とされており、上記の姿勢で入口シュート３２０から記録媒体Ｐを受け、また出口シュート３２６に向け記録媒体Ｐを案内するようになっている。
【０１２６】
（インラインセンサ２００の作用）
図３に示すように、インラインセンサ２００は、照射部２０２と設定部２１０との間を通過する記録媒体Ｐに対し、一対のランプ２１２により光を照射する。そして、記録媒体Ｐで反射された光は、光軸ＯＡに沿って結像部２０８に導かれ、該結像部２０８の結像光学系２０６によってＣＣＤセンサ２０４に結像される。続いて、ＣＣＤセンサ２０４は、画像の位置毎の画像濃度に応じた信号を画像形成装置１０の制御装置１９２（図１参照）に出力する。そして、制御装置１９２では、ＣＣＤセンサ２０４からの信号に基づいて画像濃度、画像形成位置などが補正される。
【０１２７】
一方、インラインセンサ２００を構成するＣＣＤセンサ２０４のキャリブレーションの際には、まず、ロアユニット２５０のモータが作動して白色基準面２３２が記録媒体Ｐの搬送経路６０に向けられる。そして、ＣＣＤセンサ２０４は、予め定められた信号が出力されるように調整される。
【０１２８】
続いて、複合検査面２３６（図６参照）が記録媒体Ｐの搬送経路６０に向けられ、位置調整パターン２４０（図６参照）の直線部２４０Ａと斜線部２４０Ｂとの間隔と、直線部２４０Ｃと斜線部２４０Ｂとの間隔とが等しくなるように、ＣＣＤセンサ２０４の検知位置が調整される。この後、ＣＣＤセンサ２０４は、フォーカス検出パターン２４２によりフォーカスの状態が確認される。また、深度検出パターン２４４により照射深度が確認される。さらに、カラー基準面２３４（図６参照）が記録媒体Ｐの搬送経路６０に向けられる。そして、ＣＣＤセンサ２０４は、各色において、予め定められた信号が出力されるように調整される。
【０１２９】
（要部構成）
次に、インラインセンサ２００の検知部２０７及び基準ロール２２６の詳細について説明する。
【０１３０】
図７（Ａ）に示すように、インラインセンサ２００の検知部２０７は、ウインドウガラス２８６を支持する筐体の一例としてのウインドウカバー２８８を有しており、一例として、ウインドウガラス２８６の下面のうち露出部分が検知面２８６Ａとされている。そして、検知面２８６Ａに対して記録媒体Ｐの搬送方向における上流側（図示の左側）及び下流側（図示の右側）には、検知面２８６Ａよりも記録媒体Ｐ側（図８（Ｂ）参照）に突出された突出部の一例としての凸部３２１、３２２が形成されている。
【０１３１】
凸部３２１は、記録媒体Ｐの搬送方向と交差する方向から見て、先端（図示の下端）が、検出基準面２２８の延長線ＩＬから基準ロール２２６側へ突出している。また、凸部３２２は、先端（図示の下端）がロアシュート部材３２８へ向けて突出している。なお、ウインドウカバー２８８には、凸部３２１及び凸部３２２が一体で形成されている。
【０１３２】
一方、インラインセンサ２００には、記録媒体Ｐ（図７では図示省略）の搬送方向に複数の面を有する対向部材の一例としての基準ロール２２６が、検知面２８６Ａと対向して（ウインドウガラス２８６に対し搬送経路６０を挟んで反対側に）設けられている。基準ロール２２６は、上記の通り、複数の面のうちの１つの面である対向面の一例としての検出基準面２２８を有しており、検出基準面２２８が検知面２８６Ａと対向配置されている。ここで、記録媒体Ｐの搬送方向において、検出基準面２２８の幅Ｗ１は、凸部３２１および凸部３２２との間に形成される面よりも短くなっており、更には検知面２８６Ａの幅Ｗ２よりも短くなっている。なお、検知面とは、記録媒体Ｐの搬送方向において、ウインドウガラス２８６の露出している部分を含み、当該露出している部分から記録媒体Ｐの搬送方向の上流側または下流側に連続する面のことをいう。本実施例ではウインドウガラス２８６の露出している部分のみで検知面２８６Ａを形成しており、Ｗ２とは当該検知面２８６Ａの幅をいう。なお、上述の連続する面は上流側、下流側の一方のみに設けるのも、両方に設けるのも、いずれでも良い。
【０１３３】
また、基準ロール２２６は、検出基準面２２８よりも上流側に配置され下流に向けて搬送方向で徐々に検知面２８６Ａに近づく上流面２３３と、検出基準面２２８よりも下流側に配置され下流に向けて搬送方向で徐々に検知面２８６Ａから離れる下流面２３５とを有しており、上流面２３３、検出基準面２２８、及び下流面２３５が周方向に連続して形成されている。
【０１３４】
さらに、図７（Ｂ）に示すように、基準ロール２２６は、上流面２３３と検出基準面２２８との境界部２３７、及び検出基準面２２８と下流面２３５との境界部２３９が、外側へ凸の湾曲形状の一例としてのアール形状となっている。なお、境界部２３７、２３９は、面取り形状となっていてもよい。また、検知面２８６Ａには、記録媒体Ｐの画像情報を読み取る読取位置Ｐ１が設定されており、基準ロール２２６では、検出基準面２２８と上流面２３３との境界位置Ｐ２が、搬送方向において検知面２８６Ａの読取位置Ｐ１よりも上流側に配置されている。
【０１３５】
なお、読取位置Ｐ１は、ウインドウガラス２８６を搬送方向と直交する方向から見て、光軸ＯＡと検知面２８６Ａとが交わる位置とする。また、上流面２３３の延長線Ｓと検知面２８６Ａとが交わる位置をＰ３として、位置Ｐ３は、読取位置Ｐ１よりも記録媒体Ｐの搬送方向の上流側に位置している。そして、検出基準面２２８は、搬送方向で光軸ＯＡよりも上流側の幅が下流側の幅よりも広くなるように、上流側に寄って配置されている。
【０１３６】
図７（Ａ）に示すように、上記の通り、搬送方向における検知面２８６Ａよりも下流側で、且つ基準ロール２２６に対して下流側には、記録媒体Ｐを下流側へ案内する案内部材の一例としてのロアシュート部材３２８が設けられている。ロアシュート部材３２８は、搬送方向で下流側の端部が、記録媒体Ｐから離れる方向に湾曲したアール部３２８Ａとなっている。
【０１３７】
次に、本実施形態の作用について説明する。
【０１３８】
まず、図８（Ａ）に示すように、インラインセンサ２００に搬送されてきた記録媒体Ｐの先端部が、搬送方向と直交する方向から見て凹状（先端が搬送方向に向かって斜め上向きの形状）にカールしている場合について説明する。
【０１３９】
インラインセンサ２００に搬送されてきた記録媒体Ｐは、先端が斜め上向きの形状となっているため、凸部３２１と接触する。これにより、記録媒体Ｐの先端部には下向きの力が作用する。なお、凸部３２１がウインドウカバー２８８と一体となっているため、凸部３２１とウインドウカバー２８８とが別々に設けられる構成で起こり得る記録媒体のＰのウインドウカバー２８８と凸部３２１との隙間への進入が無くなる。また、一体で形成していることにより、凸部３２１の配置精度が向上する。
【０１４０】
このように、記録媒体Ｐは、凸部３２１を乗り越えることで先端が斜め上向きの状態で検知面２８６Ａに接触するので、検知面２８６Ａとの接触は面接触になりにくく、線接触に近い状態となる。このため、検知面２８６Ａに対する記録媒体Ｐの画像面側の接触面積が減る。なお、上流側のロアシュート部材３２４の下流側の端部がアール部３２４Ａとなっているため、ロアシュート部材３２４の端面が記録媒体Ｐと接触する恐れが減少し、記録媒体Ｐの傷が抑制される。
【０１４１】
続いて、搬送方向に移動した記録媒体Ｐの先端部は、検出基準面２２８と接触することで上向きの力が作用するが、検知面２８６Ａの幅よりも検出基準面２２８の幅が小さくなっているため、上向きの力が作用する搬送経路６０（図３参照）の長さは短くなる。これにより、記録媒体Ｐと検知面２８６Ａとの接触が減る。さらに、下流面２３５が下流側で下側に向けて傾斜しているため、検出基準面２２８上を移動した記録媒体Ｐの先端部は、自重により下側へ撓むことになる。このため、記録媒体Ｐと検知面２８６Ａとの接触面積が減る。
【０１４２】
続いて、図８（Ｂ）に示すように、搬送方向に移動した記録媒体Ｐの先端部が下流側の凸部３２２と接触することで、記録媒体Ｐの先端部に下向きの力が作用する。そして、記録媒体Ｐでは、検知面２８６Ａを挟んで上流側の凸部３２１と下流側の凸部３２２の２箇所で上向きの移動が規制されているため、検知面２８６Ａと対向する検出基準面２２８があっても、検知面２８６Ａとは面接触しにくく、即ち、接触面積が減る。
【０１４３】
また、この状態において、記録媒体Ｐは、凸部３２１と凸部３２２とで下側へ押さえられることにより、凸部３２１と凸部３２２との間の部分が検出基準面２２８に倣って移動する。これにより、検出基準面２２８上での記録媒体Ｐの撓みが抑制され、検出基準面２２８上を通過する記録媒体Ｐの画像の読み取り性能が向上する。
【０１４４】
続いて、搬送方向に移動した記録媒体Ｐの先端部は、凸部３２２を乗り越えてロアシュート部材３２８と接触する。ここで、ロアシュート部材３２８の下流側の端部がアール部３２８Ａとなっているため、ロアシュート部材３２８の端面が記録媒体Ｐと接触することがなくなり、記録媒体Ｐの傷が抑制される。
【０１４５】
このように、インラインセンサ２００では、記録媒体Ｐの検知面２８６Ａとの接触面積が減るため、検知面２８６Ａの傷、汚れが抑制される。また、インラインセンサ２００では、基準ロール２２６において、上流面２３３、検出基準面２２８、及び下流面２３５が全体で連続した山型となっており、検出基準面２２８の幅が検知面２８６Ａよりも短いため、記録媒体Ｐと検出基準面２２８との接触が少なくなり、搬送時の記録媒体Ｐに作用する負荷が軽減される。これにより、記録媒体Ｐの搬送速度の低下及び記録媒体Ｐの詰まりが抑制される。
【０１４６】
さらに、インラインセンサ２００では、上流面２３３、検出基準面２２８、及び下流面２３５のそれぞれの境界（繋ぎ目）が湾曲形状となっているので、境界が角部となる構成と比較して、記録媒体Ｐの傷が抑制される。加えて、インラインセンサ２００では、図７（Ｂ）に示すように、検出基準面２２８と上流面２３３との境界位置Ｐ２が、搬送方向における検知面２８６Ａの読取位置Ｐ１よりも上流側に配置されているので、検知面２８６Ａにおける読取位置Ｐ１よりも上流側の領域で記録媒体Ｐの先端が最初に接触する。これにより、読取位置Ｐ１に記録媒体Ｐの先端が接触（衝突）する構成に比べて、読取位置Ｐ１に生じる傷が抑制される。
【０１４７】
次に、図９（Ａ）に示すように、インラインセンサ２００に搬送されてきた記録媒体Ｐの先端部が、搬送方向と直交する方向から見て凸状（先端が搬送方向に向かって斜め下向きの形状）にカールしている場合について説明する。なお、記録媒体Ｐの先端部が凹状のカールとなっている場合と同様の作用については、説明を省略することがある。
【０１４８】
インラインセンサ２００に搬送されてきた記録媒体Ｐは、先端が斜め下向きの形状となっているため、ロアシュート部材３２４と接触して上方へ移動しながら凸部３２１と接触する。これにより、記録媒体Ｐの先端部には下向きの力が作用する。続いて、記録媒体Ｐが搬送方向に移動することで先端部が凸部３２１を乗り越える。
【０１４９】
続いて、図９（Ｂ）に示すように、搬送方向に移動した記録媒体Ｐの先端部は、検出基準面２２８と接触することで上向きの力が作用するが、検知面２８６Ａの幅よりも検出基準面２２８の幅が小さくなっているため、上向きの力が作用する時間は短くなる。これにより、記録媒体Ｐと検知面２８６Ａとの接触時間が減る。さらに、下流面２３５が下流側で下側に向けて傾斜しているため、検出基準面２２８上を移動した記録媒体Ｐの先端部は、自重により下側へさらに撓むことになる。このため、記録媒体Ｐと検知面２８６Ａとの接触面積がさらに減る。なお、検出基準面２２８上を通過した記録媒体Ｐの先端は、ロアシュート部材３２８に接触して下流側へ案内される。
【０１５０】
続いて、図９（Ｃ）に示すように、搬送方向に移動した記録媒体Ｐの先端部が下流側の凸部３２２と接触することで、記録媒体Ｐの先端部に下向きの力が作用する。そして、記録媒体Ｐ全体では、検知面２８６Ａを挟んで上流側の凸部３２１と下流側の凸部３２２の２箇所で上向きの移動が規制されているため、検知面２８６Ａと対向する検出基準面２２８があっても、検知面２８６Ａとは面接触しにくく、即ち、接触面積が減る。
【０１５１】
また、この状態において、記録媒体Ｐは、凸部３２１と凸部３２２とで下側へ押さえられることにより、凸部３２１と凸部３２２との間の部分が検出基準面２２８に倣って移動する。これにより、検出基準面２２８上での記録媒体Ｐの撓みが抑制され、検出基準面２２８上を通過する記録媒体Ｐの画像の読み取り性能が向上する。ここで、ロアシュート部材３２８の下流側の端部がアール部３２８Ａとなっているため、ロアシュート部材３２８の端面が記録媒体Ｐと接触することがなくなり、記録媒体Ｐの傷が抑制される。
【０１５２】
このように、インラインセンサ２００では、記録媒体Ｐの先端が斜め下向きの形状となっている場合でも、記録媒体Ｐの検知面２８６Ａとの接触面積が減るため、検知面２８６Ａの傷、汚れが抑制される。なお、カールしていない記録媒体Ｐを搬送する場合は、図９（Ｂ）において、記録媒体Ｐの先端部のカールの大きさが小さくなり、図９（Ａ）、（Ｃ）での状態は下向きのカールと同様であるため、説明を省略する。
【０１５３】
さらに、インラインセンサ２００では、図７（Ｂ）に示すように、上流面２３３の延長線Ｓと検知面２８６Ａとが交わる位置Ｐ３が、読取位置Ｐ１よりも上流側にあるので、記録媒体Ｐの先端が検知面２８６Ａの上流側から接触する。これにより、検知面２８６Ａに付着した紙粉が掻き取られる。特に、記録媒体Ｐの先端部が上向きのカールとなっている場合に、より多くの紙粉が掻き取られる。
【０１５４】
次に、本実施形態のインラインセンサ２００の変形例について説明する。
【０１５５】
図７（Ａ）では、突出部３２１が検出基準面２２８の延長線ＩＬを越えて基準ロール２２６側に突出していることを規定して説明したが、突出部３２１（又は突出部３２２）の突出状態を規定するにあたり、この他に、検出基準面２２８がウインドウガラス２８６（検知面２８６Ａ）に対して傾斜配置（平行ではない配置）されている構成、検出基準面２２８が曲面の構成、ウインドウガラス２８６が水平面に対して傾斜配置されさらにウインドウガラス２８６に対して検出基準面２２８が傾斜配置されている構成がある。このため、これらを第１、第２、第３、第４変形例として説明する。なお、第１、第２、第３、第４、第５、第６変形例の説明で使用する図１０、１１、１２は、インラインセンサ２００の要部を簡略化した模式図である。
【０１５６】
図１０（Ａ）には、第１変形例として、第１実施形態のインラインセンサ２００における基準ロール２２６（図７（Ａ）参照）に換えて設けられた対向部材の一例としての基準ロール３４０と、ウインドウガラス２８６及び凸部３２１、３２２との配置関係が模式図で示されている。基準ロール３４０は、記録媒体Ｐ（図示省略）の搬送方向と交差する方向から見て、ウインドウガラス２８６の検知面２８６Ａに対して交差する方向を面方向とする対向面３４２を含み、複数の面で構成されている。対向面３４２は、一例として、記録媒体Ｐの搬送方向で下流端が上流端よりも高い位置となる傾斜配置となっている。
【０１５７】
ここで、第１変形例では、凸部３２１、３２２が、対向面３４２でウインドウガラス２８６に最も近い点ａ（図示の対向面３４２の右端点）を通り且つ光軸ＯＡと直交する線Ｍ１を越えて、基準ロール３４０側へ突出している。これにより、記録媒体Ｐがウインドウガラス２８６と対向面３４２との間に進入してきたとき又はこれらの間から下流側へ移動したときに、記録媒体Ｐは、凸部３２１と接触し又は凸部３２２と接触して、対向面３４２側への力が作用し、検知面２８６Ａとの接触が抑制される。
【０１５８】
次に、図１０（Ｂ）には、第２変形例として、第１実施形態のインラインセンサ２００における基準ロール２２６に換えて設けられた対向部材の一例としての基準ロール３５０と、ウインドウガラス２８６及び凸部３２１、３２２との配置関係が模式図で示されている。基準ロール３５０は、記録媒体Ｐ（図示省略）の搬送方向と交差する方向から見て、ウインドウガラス２８６に向けて凸状の曲面である対向面３５２を含み、複数の面で構成されている。対向面３５２は、一例として、光軸ＯＡと交差する点ｂがウインドウガラス２８６に最も近い点となっている。
【０１５９】
ここで、第２変形例では、凸部３２１、３２２が、対向面３５２と光軸ＯＡとの交点ｂを通り、ウインドウガラス２８６に対して平行な線Ｍ２を越えて、基準ロール３５０側へ突出している。これにより、記録媒体Ｐがウインドウガラス２８６と対向面３５２との間に進入してきたとき又はこれらの間から下流側へ移動したときに、記録媒体Ｐは、凸部３２１と接触し又は凸部３２２と接触して、対向面３５２側への力が作用し、検知面２８６Ａとの接触が抑制される。
【０１６０】
次に、図１１（Ａ）には、第３変形例として、第１変形例の基準ロール３４０を有し、ウインドウガラス２８６が水平方向に対して傾斜配置されている構成での基準ロール３４０と、ウインドウガラス２８６及び凸部３２１、３２２との配置関係が模式図で示されている。ウインドウガラス２８６の検知面２８６Ａは、記録媒体Ｐ（図示省略）の搬送方向と交差する方向から見て、該搬送方向における下流側の端部位置が上流側の端部位置よりも高い傾斜配置となっている。
【０１６１】
ここで、第３変形例では、検知面２８６Ａと光軸ＯＡとの交点ｃを通り光軸ＯＡと直交する線をＭ３とし、この線Ｍ３（実際は面）に対して最も近い対向面３４２の点をｄとしている。そして、凸部３２１、３２２が、点ｄを通り線Ｍ３と平行な線Ｍ４を越えて基準ロール３４０側へ突出している。これにより、記録媒体Ｐがウインドウガラス２８６と対向面３４２との間に進入してきたとき又はこれらの間から下流側へ移動したときに、記録媒体Ｐは、凸部３２１と接触し又は凸部３２２と接触して、対向面３４２側への力が作用し、検知面２８６Ａとの接触が抑制される。
【０１６２】
次に、図１１（Ｂ）には、第４変形例として、第３変形例の構成において、線Ｍ４とは異なる手順により決定される凸部３２１、３２２の突出の基準となる線Ｍ６が示されている。第４変形例では、検知面２８６Ａを延長した線をＭ５とし、この線Ｍ５（実際は面）に対して最も近い対向面３４２の点をｄとする。そして、線Ｍ５と平行で且つ点ｄを通る線をＭ６として、凸部３２１、３２２が線Ｍ６を越えて基準ロール３４０側へ突出している。これにより、記録媒体Ｐがウインドウガラス２８６と対向面３４２との間に進入してきたとき又はこれらの間から下流側へ移動したときに、記録媒体Ｐは、凸部３２１と接触し又は凸部３２２と接触して、対向面３４２側への力が作用し、検知面２８６Ａとの接触が抑制される。
【０１６３】
なお、上記のように、対向面におけるウインドウガラス２８６と最も近くなる点（近接する点）と凸部３２１、３２２との位置を規定するのは、対向面の中でもウインドウガラス２８６と最も近くなる点というのが、最も記録媒体Ｐの挙動、姿勢に影響を及ぼすためであり、即ち、凸部３２１、３２２が対向面におけるウインドウガラス２８６に最も近い点よりも基準ロール側に越えていることが望ましいためである。
【０１６４】
図１２（Ａ）には、第５変形例として、検知面３７０Ａがウインドウガラス３７０と当該ウインドウガラス３７０と連続する他の部材３７４とによって形成されている。この変形例では、対向面である検出基準面２２８の幅Ｗ１が検知面３７０Ａの幅Ｗ３よりも短くなっている。他の部材３７４は、板金等の部材を適宜選択することができる。かかる構成にすることで本実施形態と同様に上向きの力が作用する搬送経路６０（図３参照）の長さは短くなる。これにより、記録媒体Ｐと検知面３７０Ａとの接触が減る。
【０１６５】
図１２（Ｂ）は、第６の変形例を説明する図である。第６の変形例は第５の変形例の検知面３７０Ａをさらに変更し、ウインドウガラス３７０とその他の部材３７６の配置に段差を設けたものである。この変形例では、対向面である検出基準面２２８の幅Ｗ１が検知面３７２の幅Ｗ４よりも短くなっている。かかる構成にすることで本実施形態と同様に上向きの力が作用する搬送経路６０（図３参照）の長さは短くなる。これにより、記録媒体Ｐと検知面３７２との接触が減る。なお、図１２（Ａ）、（Ｂ）では、断面が台形の形状をしたウインドウガラスを用いたが、これに限らず長方形や正方形等、任意の断面形状のウインドウガラスを用いてよい。
【０１６６】
なお、本発明は上記の実施形態に限定されない。
【０１６７】
ウインドウガラス２８６に換えて接触式のセンサを用いて画像検知を行ってもよいし、ウインドウガラス２８６はそのままに、ＣＣＤセンサ２０４を含む光学センサ部を接触式のセンサを用いる構成としてもよい。また、凸部３２１、３２２は、検知面２８６Ａの上流側、下流側のいずれか一方又は両方で、設定された基準となる線を超えるように設けられていてもよい。さらに、境界部２３７、２３９の一方が湾曲形状となっていてもよい。加えて、回転可能な基準ロール２２６に代えて、固定式の対向部材を設けてもよい。また、本実施例では、記録媒体Ｐの表面側から光を当てたが、光を透過する記録媒体Ｐ等を用いる場合には、記録媒体Ｐの裏面側から光を当ててもよい。
【符号の説明】
【０１６８】
１０  画像形成装置
１６  画像形成ユニット（画像形成部の一例）
６０  搬送経路（搬送路の一例）
７０  搬送ベルト（搬送部の一例）
８０  搬送ベルト（搬送部の一例）
１０８  搬送ベルト（搬送部の一例）
１３０  押付ベルト（搬送部の一例）
２００  インラインセンサ（検知装置の一例）
２０４  ＣＣＤセンサ（受光部材の一例）
２０７  検知部（検知手段の一例）
２２６  基準ロール（対向部材の一例）
２２８  検出基準面（対向面の一例）
２３３  上流面
２３５  下流面
２８６  ウインドウガラス（透過部材の一例）
２８８  ウインドウカバー（筐体の一例）
３２１  凸部（突出部の一例）
３２２  凸部（突出部の一例）
３２８  ロアシュート部材（案内部材の一例）
３４０  基準ロール（対向部材の一例）
３４２  対向面
３５０  基準ロール（対向部材の一例）
３５２  対向面
Ｐ  記録媒体（媒体の一例）
Ｐ１  読取位置
Ｐ２  境界位置
【図１】
0005736731.tif 000002
【図２】
0005736731.tif 000003
【図３】
0005736731.tif 000004
【図４】
0005736731.tif 000005
【図５】
0005736731.tif 000006
【図６】
0005736731.tif 000007
【図７】
0005736731.tif 000008
【図８】
0005736731.tif 000009
【図９】
0005736731.tif 000010
【図１０】
0005736731.tif 000011
【図１１】
0005736731.tif 000012
【図１２】
0005736731.tif 000013